(57)【要約】    【課題】  医療用の物差とピンセットについて、滅菌消毒、保管や使用の手間を減らす。    【解決手段】  一対の挟み棒１、２は、二股形状ないし逆Ｖ形状に連結し、連結端と反対側の自由端を、衛生材料などを摘む摘み部３、４にした。両挟み棒１、２の中央部外面を手の指で摘み、両挟み棒１、２を摘む力を強めると、両摘み部３、４が近付いて閉鎖し、両挟み棒１、２を摘む力を弱めると、両摘み部３、４が遠退いて開放する。滅菌消毒される医療用ピンセットである。挟み棒１、２の自由端側は、内面に長さの目盛１１、１２を付けて、患者の傷、患部の大きさや位置などを測定する医療用物差に兼用した。目盛１１、１２は、挟み棒１、２の自由端からの距離を示す。【選択図】  図１
0003105165.tif 000002
【実用新案登録請求の範囲】
【請求項１】
一対の挟み棒を二股形状ないし逆Ｖ形状に連結し、両挟み棒の連結端と反対側の自由端を、衛生材料などを摘む摘み部にし、両挟み棒の中央部外面を手の指で摘み、両挟み棒を摘む力を強めると、両摘み部が近付いて閉鎖し、両挟み棒を摘む力を弱めると、両摘み部が遠退いて開放する構成にし、滅菌消毒される医療用ピンセットにおいて、
挟み棒の自由端側は、内面に長さの目盛を付けて、患者の傷、患部の大きさや位置などを測定する医療用物差に兼用したことを特徴とする医療用物差兼用ピンセット。
【請求項２】
長さの目盛は、挟み棒の自由端からの距離を示す目盛であることを特徴とする請求項１に記載の医療用物差兼用ピンセット。
【請求項３】
医療用物差に兼用する挟み棒は、両側の挟み棒であることを特徴とする請求項１又は２に記載の医療用物差兼用ピンセット。
【考案の詳細な説明】
【技術分野】
【０００１】
本考案は、病院や診療所などの医療機関で使用する物差兼用のピンセットに関する。
【背景技術】
【０００２】
病院や診療所において、医師や看護師は、ピンセットでガーゼや綿球などの衛生材料を摘み、患者に治療や手当てを施す。ピンセットと衛生材料は、滅菌消毒されている。
【０００３】
ピンセットは、特許文献１に例示されているように、使い捨ての合成樹脂成形品である。一対の挟み棒が二股形状ないし逆Ｖ形状に連結している。両挟み棒は、連結端と反対側の自由端を、衛生材料を摘む摘み部にしている。ピンセットは、使用する際、両挟み棒の中央部外面を手の指で摘む。両挟み棒を摘む力を強めると、両挟み棒が撓み、両摘み部が近付いて閉鎖する。両挟み棒を摘む力を弱めると、両挟み棒が弾性力で復元し、両摘み部が遠退いて開放する。
【０００４】
また、病院や診療所において、医師や看護師は、患者の傷、患部の大きさや位置を物差で測定し、患者のカルテに記録する。物差は、細長い棒に長さの目盛を付けている。文具の事務用物差、又は、医療器具の医療用物差が使用されている。事務用物差は、滅菌消毒されていない。医療用物差は、滅菌消毒されている。
【０００５】
【特許文献１】特開２０００−１８５０４９号公報
【考案の開示】
【考案が解決しようとする課題】
【０００６】
病院や診療所において、患者の傷、患部の大きさや位置を測定する際、事務用物差を用いる場合、事務用物差は滅菌消毒されていないので、事務用物差が患者の傷、患部に接触しないように注意する手間が掛る。事務用物差では、患者の傷、患部について、安全、簡単かつ正確に測定することが困難である。床擦れにおける皮膚下の壊死部のような、物差との接触が避けられない傷、患部については、測定が不可能である。医療用物差を用いる場合は、滅菌消毒する手間が掛る。
【０００７】
物差とピンセットは、使用場所に近い保管場所に、別々に、保管する手間が掛る。また、患者の傷、患部について、大きさや位置の測定と治療や手当てを行うときには、物差とピンセットを持ち替える手間が掛る。
【０００８】
［課題を解決するための着想］
１）多くの病院や診療所においては、患者の傷、患部について、物差を用いて測定する場所と、ピンセットを用いて治療や手当てをする場所とが同じか又は非常に近い。物差とピンセットは、使用場所がほぼ同じであるので、保管場所もほぼ同じである。保管中のピンセットは、滅菌消毒されている。また、物差を用いた測定とピンセットを用いた治療や手当てとの両行為を行うときには、同一人が連続して行うことが多い。しかも、患者の傷、患部について測定する際、測定長さがピンセットの長さを超えることは非常に少ない。測定長さは、ピンセットの長さの半分以下であることが多い。
【０００９】
そこで、ピンセットは、長さの目盛を付けて物差の機能を付加することとした。これは、ピンセットが物差を兼用し、物差とピンセットが一緒に一度に滅菌消毒されることになる。また、病院や診療所において、物差とピンセットが一緒に保管されることになる。物差とピンセットを同一人が連続して使用するときには、物差とピンセットを持ち替える必要がない。
【００１０】
２）ピンセットは、使用者が手の親指と人差指、中指で両挟み棒の中央部外面を摘んで患者の前に差し出すと、人差指、中指側の挟み棒が患者側、親指側の挟み棒が使用者側に配置されることになる。すると、使用者は、患者側の挟み棒の自由端側内面を見ることができる。また、使用者は、患者の前で手を伸ばすと、患者に患者側の挟み棒の自由端側外面を接近、接触させることができる。
【００１１】
そこで、ピンセットは、挟み棒の自由端側内面に長さの目盛を付けて、挟み棒の自由端側を物差に兼用することとした。
【課題を解決するための手段】
【００１２】
１）一対の挟み棒を二股形状ないし逆Ｖ形状に連結し、両挟み棒の連結端と反対側の自由端を、衛生材料などを摘む摘み部にし、両挟み棒の中央部外面を手の指で摘み、両挟み棒を摘む力を強めると、両摘み部が近付いて閉鎖し、両挟み棒を摘む力を弱めると、両摘み部が遠退いて開放する構成にし、滅菌消毒される医療用ピンセットにおいて、
挟み棒の自由端側は、内面に長さの目盛を付けて、患者の傷、患部の大きさや位置などを測定する医療用物差に兼用したことを特徴とする医療用物差兼用ピンセット。
【００１３】
２）上記の医療用物差兼用ピンセットにおいて、
長さの目盛は、挟み棒の自由端からの距離を示す目盛である。
【００１４】
３）上記の医療用物差兼用ピンセットにおいて、
医療用物差に兼用する挟み棒は、両側の挟み棒である。
【考案の効果】
【００１５】
医療用物差兼用ピンセットは、使用者が両挟み棒の中央部を手の指で摘み、両摘み部で衛生材料などを摘む。医療用ピンセットとして使用される。また、使用者が両挟み棒の中央部を手の指で摘み、挟み棒の自由端側外面を患者の傷、患部に接近又は接触させ、その挟み棒の自由端側内面の目盛で患者の傷、患部の大きさや位置などを測定する。医療用物差として使用される。
【００１６】
医療用物差兼用ピンセットは、滅菌消毒される際、物差とピンセットが一緒に滅菌消毒されることになる。滅菌消毒する手間が一度で済む。また、病院や診療所において、物差とピンセットが一緒に保管されることになる。別々に保管する手間が掛らない。物差とピンセットを同一人が連続して使用するときには、物差とピンセットを持ち替える手間が掛らない。
【考案を実施するための最良の形態】
【００１７】
医療用物差兼用ピンセットは、図１〜図４に示すように、一対の挟み棒１、２からなり、合成樹脂の一体成形品である。滅菌消毒される。一度使用すると廃棄する使い捨てである。
【００１８】
一対の挟み棒１、２は、基端同士を一体化して二股形状ないし逆Ｖ形状に連結している。２本の挟み棒１、２は、基端の連結端と反対側の先端の自由端を、衛生材料などを摘む摘み部３、４にしている。
【００１９】
両挟み棒１、２は、中央部の外面に凹凸の滑り止め５、６を形成している。両挟み棒１、２の中央部外面を手の親指と人差指、中指で摘む構成にしている。また、両挟み棒１、２は、中央部の内面に、互いに噛み合うずれ止め片７、８を形成している。
【００２０】
ピンセットは、両挟み棒１、２を手の指で摘む力を強めると、両挟み棒１、２が撓み、両摘み部３、４が近付いて閉鎖する。また、両ずれ止め片７、８が近付いて噛み合う。両挟み棒１、２を摘む力を弱めると、両挟み棒１、２が弾性力で復元し、両摘み部３、４が遠退いて開放する。また、両ずれ止め片７、８が離れて外れる。
【００２１】
両挟み棒１、２は、それぞれ、先端の自由端側の内面に、ずれ止め片７、８と摘み部３、４との間の位置に長さの目盛１１、１２を付けている。目盛１１、１２は、多数の突条を一定間隔で並列し、挟み棒１、２の自由端からの距離を示している。両挟み棒１、２の自由端側は、それぞれ、患者の傷、患部の大きさや位置などを測定する医療用物差に兼用している。
【００２２】
なお、実施例では、目盛１１、１２は、５mm間隔で、挟み棒１、２の自由端からの距離が２５〜６５mmの範囲である。挟み棒１、２の長さは、１８０mm位である。
【００２３】
医療用物差兼用ピンセットは、病院や診療所の診療室において、滅菌消毒された状態で保管され、医師や看護師によって使用される。
【００２４】
この物差兼用ピンセットは、使用者が両挟み棒１、２の中央部を手の指で摘み、両摘み部３、４で衛生材料などを摘む。医療用ピンセットとして使用される。使用の仕方は、物差を兼用していない通常の医療用ピンセットと同様である。
【００２５】
また、物差兼用ピンセットは、使用者が長さの目盛１１、１２で患者の傷、患部の大きさや位置などを測定する。医療用物差として使用される。使用の仕方は、使用者が物差兼用ピンセットの中央部を手の指で摘んで患者に対面する。物差兼用ピンセットは、両挟み棒１、２の一方を患者側、他方を使用者側に配置する。患者側に配置した挟み棒１は、自由端側外面を患者の傷、患部に接近又は接触させ、その挟み棒１の自由端側内面の目盛１１を読む。
【００２６】
この物差兼用ピンセットは、両側の挟み棒１、２が医療用物差に兼用されているので、いずれの側の挟み棒を患者側に配置しても、医療用物差として使用される。使用が容易である。また、物差の目盛１１、１２は、挟み棒１、２の自由端からの距離を示しているので、挟み棒１、２の自由端を測定の起点として長さを測定することができる。測定が容易である。
【００２７】
［変形例］
１）実施形態において、医療用物差に兼用する挟み棒は、両側の挟み棒１、２であるが、片側の挟み棒のみにする。
２）実施形態において、物差の目盛１１、１２は、挟み棒１、２の自由端からの距離を示しているが、挟み棒１、２の自由端位置以外の途中位置からの距離を示す目盛にする。
【図面の簡単な説明】
【００２８】
【図１】本考案の実施形態における医療用物差兼用ピンセットの正面図。
【図２】図１のＡ−Ａ線断面図。
【図３】図１のＢ−Ｂ線断面図。
【図４】同医療用物差兼用ピンセットの斜視図。
【符号の説明】
【００２９】
１、２  挟み棒
３、４  摘み部
５、６  滑り止め
７、８  ずれ止め片
１１、１２  長さの目盛
【図１】
0003105165.tif 000003
【図２】
0003105165.tif 000004
【図３】
0003105165.tif 000005
【図４】
0003105165.tif 000006